(57)【特許請求の範囲】
【請求項１】
一対の外面フィルムの間に介在してそれら両フィルムにより形成される袋口を区分けするとともに、袋内を複数の収納部に分割する１又は２以上の分割フィルムを備え、両側から吸着体で袋口を開口する際、外面フィルムの開口縁部あるいはさらに分割フィルムの開口縁部に設けた吸着開口を通してその先にある分割フィルムを吸着できるようにした包装袋において、前記吸着開口が外面フィルム又は分割フィルムに形成された切断線からなる切込み又はスリットであることを特徴とする包装袋。
【請求項２】
一対の外面フィルムの間に介在してそれら両フィルムにより形成される袋口を区分けするとともに、袋内を２つの収納部に分割する分割フィルムを備える包装袋であって、一対の外面フィルムの各々の開口縁部に吸着用の切断線からなる切込み又はスリットが形成されていることを特徴とする包装袋。
【請求項３】
一対の外面フィルムの間に介在してそれら両フィルムにより形成される袋口を区分けするとともに、袋内を３以上の収納部に分割する複数の分割フィルムを備える包装袋であって、一対の外面フィルムの各々の開口縁部に２以上の吸着用の切断線からなる切込み又はスリットが形成され、各々の分割フィルムの開口縁部にも外面フィルムに形成された前記切込み又はスリットの少なくとも１つと重なる位置に吸着用の切断線からなる切込み又はスリットが形成されていることを特徴とする包装袋。
【請求項４】
一対の外面フィルムの間に介在してそれら両フィルムにより形成される袋口を区分けするとともに、袋内を２つの収納部に分割する分割フィルムを備える包装袋であって、一方の外面フィルムの高さが他方の外面フィルム及び分割フィルムより低く形成され、前記他方の外面フィルムの開口縁部に吸着用の切断線からなる切込み又はスリットが形成されていることを特徴とする包装袋。
【請求項５】
請求項１〜４のいずれかに記載された包装袋の各々の収容部に充填物が収納され、かつ吸着用切込み又はスリットを含む開口縁部が熱シールされたことを特徴とする充填物を収納した包装袋。
【請求項６】
請求項２に記載された包装袋の一方の外面フィルムと分割フィルムにより構成される第１収納部に対応する袋口を開き、該第１収納部に第１充填物を投入し、次に他方の外面フィルムと分割フィルムにより構成される第２収納部に対応する袋口を開き、該第２収納部に第２充填物を投入した後、吸着用切込み又はスリットを含む開口縁部を熱シールする包装方法であり、前記第１収納部に対応する袋口を開く際に、前記一方の外面フィルムに対して吸着用切込み又はスリットから外した位置に吸着盤を宛って該一方の外面フィルムを吸着し、前記他方の外面フィルムに対して吸着用切込み又はスリットを被う位置に吸着盤を宛って該他方の外面フィルムと分割フィルムを同時に吸着して袋口を開口し、前記第２収納部に対応する袋口を開く際に、前記他方の外面フィルムに対して吸着用切込み又はスリットから外した位置に吸着盤を宛って該他方の外面フィルムを吸着し、前記一方の外面フィルムに対して吸着用切込み又はスリットを被う位置に吸着盤を宛って該一方の外面フィルムと分割フィルムを同時に吸着して袋口を開口することを特徴とする包装袋の包装方法。
【請求項７】
請求項２に記載された包装袋の一方の外面フィルムと分割フィルムにより構成される第１収納部に対応する袋口を開き、該第１収納部に第１充填物を投入し、次に他方の外面フィルムと分割フィルムにより構成される第２収納部に対応する袋口を開き、該第２収納部に第２充填物を投入した後、吸着用切込み又はスリットを含む開口縁部を熱シールする包装方法であり、前記第１収納部に対応する袋口を開く際に、各外面フィルムに対して吸着用切込み又はスリットを被う位置に吸着盤を宛い、前記他方の外面フィルムの側の吸引力を前記一方の外面フィルムの側より強くし、続いて両吸着盤を離れる方向に動かして袋口を開口し、前記第２収納部に対応する袋口を開く際に、各外面フィルムに対して吸着用切込み又はスリットを被う位置に吸着盤を宛い、前記一方の外面フィルムの側の吸引力を前記他方の外面フィルムの側より強くし、続いて両吸着盤を離れる方向に動かして袋口を開口することを特徴とする包装袋の包装方法。
【請求項８】
請求項３に記載された包装袋の一対の外面フィルムの開口縁部を吸着盤で吸着していずれか１つの収納部に対応する袋口を開く包装袋の開口方法であり、いずれか一方の外面フィルムに対して吸着用切込み又はスリットを被う位置に吸着盤を宛って該外面フィルムと１又は２以上の分割フィルムを同時に吸着し、他方の外面フィルムに対して吸着用切込み又はスリットから外した位置に吸着盤を宛って該外面フィルムを吸着するか、又は他方の外面フィルムに対して吸着用切込み又はスリットを被う位置に吸着盤を宛って該外面フィルムと残りの分割フィルムを同時に吸着して袋口を開口することを特徴とする包装袋の開口方法。
【請求項９】
請求項４に記載された包装袋の前記他方の外面フィルムと分割フィルムにより構成される第１収納部に対応する袋口を開き、該第１収納部に第１充填物を投入し、前記一方の外面フィルムと分割フィルムにより構成される第２収納部に対応する袋口を開き、該第２収納部に第２充填物を投入した後、吸着用切り込み又はスリットを含む開口縁部を熱シールする包装方法であり、前記第１収納部に対応する袋口を開く際に、前記一方の外面フィルムの側から分割フィルムに対して吸着盤を宛って該分割フィルムを吸着し、前記他方の外面フィルムに対して吸着用切込み又はスリットから外した位置に吸着盤を宛って該他方の外面フィルムを吸着して袋口を開口し、前記第２収納部に対応する袋口を開く際に、前記一方の外面フィルムに対して吸着盤を宛って該一方の外面フィルムを吸着し、前記他方の外面フィルムに対して吸着用切込み又はスリットを被う位置に吸着盤を宛って該他方の外面フィルムと分割フィルムを同時に吸着して袋口を開口することを特徴とする包装方法。
【請求項１０】
請求項３に記載された包装袋のうち分割フィルムが２枚である包装袋の３つの収納部のそれぞれに対応する袋口を順次開口する開口装置であって、包装袋のいずれか一方の外面フィルムの吸着用切込み又はスリットから外した位置に宛われる吸着盤と、他方の外面フィルムの吸着用切込み又はスリットを被いかつその内側の分割フィルムの吸着用切込み又はスリットを被う位置に宛われる吸着盤とからなる第１吸着盤対と、包装袋の前記一方の外面フィルムの吸着用切込み又はスリットを被いかつその内側の分割フィルムの吸着用切込み又はスリットから外した位置に宛われる吸着盤と、包装袋の前記他方の外面フィルムの吸着用切込み又はスリットを被いかつその内側の分割フィルムの吸着用切込み又はスリットから外した位置に宛われる吸着盤とからなる第２吸着盤対と、包装袋の前記一方の外面フィルムの吸着用切込み又はスリットを被いかつその内側の分割フィルムの吸着用切込み又はスリットを被う位置に宛われる吸着盤と、前記他方の外面フィルムの吸着用切込み又はスリットから外した位置に宛われる吸着盤とからなる第３吸着盤対を備えることを特徴とする包装袋の開口装置。
【発明の詳細な説明】
【０００１】
【産業上の利用分野】
本発明は、２以上の独立した収納部を有し、かつ袋口の開口及び充填物の投入を自動化するのに適する包装袋とその開口方法及び開口装置に関する。
【０００２】
【従来の技術】
特開平７−２９１２３０号公報には、一対の外面フィルムの間に介在してそれら両フィルムにより形成される袋口を区分けするとともに、袋内を２つの収納部に分割する分割フィルムを備える包装袋において、一対の外面フィルムの各々の開口縁部に吸着穴が形成されたものが記載されている。この包装袋は、上記公報にも記載されているように、例えば間欠回転テーブル型包装機のグリッパーに両縁部を把持され、間欠回転する間、一方の側の袋口が開口されて第１収納部に第１充填物が投入され、続いて他方の側の袋口が開口されて第２収納部に第２充填物が投入され、最後に袋口が熱シールされ、包装機から排出される。
【０００３】
図５に示す包装袋１は上記公報に記載された包装袋の１例を示すもので、一対の外面フィルム２、３の間に分割フィルム４が介在し、かつ外面フィルム２、３と分割フィルム４の縁部が開口縁部を残して溶着シールされ、外面フィルム２、３の開口縁部に１個ずつの吸着穴５、６が形成されている。なお、この例では、それぞれの吸着穴５、６は水平方向にＤだけずれた位置に開口している。
【０００４】
まず、第１充填物の投入位置において、両縁部を一対のグリッパー７、８に把持された包装袋１に対し、両吸着盤９、１０を包装袋１に向けて進め、吸着盤９を外面フィルム２の吸着穴５から外れた位置に宛がい、吸着盤１０を外面フィルム３の吸着穴６を被う位置に宛がうと、吸着盤９は外面フィルム２のみを吸着し、吸着盤１０は外面フィルム３と吸着穴６を介して分割フィルム４を吸着する。その状態で両吸着盤９、１０を離れる方向に動かし、同時にグリッパー７、８間の距離を狭める（互いに内側に寄せる）と、図５（ａ）に示されるように、第１収納部１１の側の袋口が開口する。続いて、その袋口にホッパーの下端が挿入され、ホッパーを通して第１収納部１１に第１充填物が投入される。
【０００５】
次に、第２充填物の投入位置において、両吸着盤１２、１３包装袋１に向けて進め、吸着盤１２を外面フィルム２の吸着穴５を被う位置に宛がい、吸着盤１３を外面フィルム３の吸着穴６から外れた位置に宛がうと、吸着盤１２は外面フィルム２と吸着穴５を介して分割フィルム４を吸着し、吸着盤１３は外面フィルム３のみを吸着する。その状態で両吸着盤１２、１３を離れる方向に動かし、同時にグリッパー７、８間の距離を狭めると、図５（ｂ）に示されるように、第２収納部１４の側の袋口が開口する。続いて、その袋口にはホッパー３６の下端が挿入され、ホッパーを通して第２収納部１４に第２充填物が投入される。
【０００６】
図６及び図７は、図５で説明した包装袋１の袋口の開口及び第１充填物、第２充填物の投入のプロセスを総括的に説明するもので、いずれも上段は側面視、下段は平面視の図である。
第１充填物の投入（図６）においては、包装袋１が第１充填物の投入位置に入ると（ａ）、両吸着盤９、１０が包装袋１に向かって進み開口縁部を吸着し（ｂ）、続いて両吸着盤９、１０を引き離すとともにそのタイミングに合わせてグリッパー７、８の間隔を狭めて第１収納部１１側の袋口を開口し、ホッパー１５を挿入し、充填物１６を投入する（ｃ）。最後に、両吸着盤９、１０の吸引を止め、グリッパー７、８の間隔を元に戻す（ｄ）。
【０００７】
第２充填物の投入（図７）においては、包装袋１が第２充填物の投入位置に入ると（ｅ）、両吸着盤１２、１３が包装袋１に向かって進み開口縁部を吸着し（ｆ）、続いて両吸着盤１２、１３を引き離すとともにそのタイミングに合わせてグリッパー７、８の間隔を狭めて第２収納部１４側の袋口を開口し、ホッパー１７を挿入し、充填物１８を投入する（ｇ）。最後に、両吸着盤１２、１３の吸引を止め、グリッパー７、８の間隔を元に戻す（ｈ）。
【０００８】
また、特開平９−２４９１１号公報には、外面フィルム２２、２３の間に分割フィルム２４が介在し、外面フィルム２２、２３の開口縁部に１個ずつの吸着穴２５、２６が水平方向に同じ位置に形成された包装袋２１の前記開口縁部を、互いに異なる吸引力の吸着盤で吸引することにより、２つの収納部に対応する袋口を順次開口することが記載されている。
【０００９】
すなわち、充填物の投入位置において、両縁部を一対のグリッパー２７、２８に把持された包装袋２１に対し、両吸着盤２９、３０を包装袋２１に向けて進め、それぞれ外面フィルムの吸着穴２５、２６を被う位置に宛がい、このとき吸着盤３０の吸引力を吸着盤２９の吸引力より強くしておくと、次に両吸着盤２９、３０を離れる方向に動かしたとき（同時にグリッパー２７、２８間の距離を狭める）、図８（ａ）に示されるように、分割フィルム２４は吸着盤３０の側に引かれ、第１収納部３１の側の袋口が開口する。続いて、その袋口にホッパーの下端が挿入され、ホッパーを通して第１収納部３１に第１充填物が投入される。
【００１０】
次に、同じ投入位置において、いったん吸引を止めて包装袋２１を吸着盤２９、３０から開放し、かつグリッパー２７、２８の間の距離を広げた後、再び両吸着盤２９、３０を包装袋２１に向けて進め、それぞれ外面フィルムの吸着穴２５、２６を被う位置に宛がい、今度は吸着盤２９の吸引力を吸着盤３０の吸引力より強くしておくと、次に両吸着盤２９、３０を離れる方向に動かしたとき（同時にグリッパー２７、２８間の距離を狭める）、図８（ｂ）に示されるように、分割フィルム２４は吸着盤２９の側に引かれ、第２収納部３２の側の袋口が開口する。続いて、その袋口にホッパーの下端が挿入され、ホッパーを通して第２収納部３２に第２充填物が投入される。
【００１１】
【発明が解決しようとする課題】
ところで、このように充填物を投入された包装袋１（又は２１）は、包装機のシール位置において袋口を熱シールされる。このとき、図９に示すように、シールバー３８、３９が吸着穴５、６の位置を完全に被うように熱シールした場合、シール部分が吸着穴５、６の周縁から剥離していくことがあり、そこへゴミが付着したり、剥離が広がることによる包装袋の破損等が起こる。また、シール部分に穴がはっきり見えるため製品の見映えが悪いという問題もある。
【００１２】
さらに、一般に包装袋の外面フィルムには内層としてシーラント（例えば融点の低いポリエチレン）が積層され、分割フィルムも同様の材質とされて、熱シールされるようになっているが、この低融点のシーラントが熱シール時に溶融し吸着穴の内側にはみ出し、また内面フィルムが溶融して、これらがシールバーの前面に付着し（吸着穴５からはシールバー３８へ、吸着穴６からはシールバー３９へ）、これがしだいに堆積して、ついには熱シールが継続できなくなるという問題もある。なお、これを防止するため、シールバーの吸着穴に対応する箇所に凹所を設けるなどして、吸着穴及びその周縁に熱及び圧力がかからないようにすることが考えられたが、先に述べた剥離等の問題は解決されない。
【００１３】
一方、図１０に示すように、シールバー３８、３９が吸着穴５、６の位置を被わず、それより下の箇所を熱シールした場合、上記の問題点はすべて解決される。しかし、この場合、吸着穴の部分（熱シールした箇所より上の部分）を切除する必要があるため、外面フィルム及び分割フィルムがその分だけ無駄となり、また、余分な工程が増えて、いずれもコストアップ要因となる。
【００１４】
本発明は、このような従来技術の問題点に鑑みてなされたもので、複数の収納部を備え、袋口の開口に際して外面フィルムを通して分割フィルムを吸着できるようにした包装袋において、シール部分の剥離やシールバーの前面へのシーラント等の堆積が起こらず、フィルムの無駄がなく、さらに製品の見映えの損なわれない包装袋を得ることを目的とする。
【００１５】
【課題を解決するための手段】
本発明に係る包装袋は、一対の外面フィルムの間に介在してそれら両フィルムにより形成される袋口を区分けするとともに、袋内を複数の収納部に分割する１又は２以上の分割フィルムを備え、両側から吸着体で袋口を開口する際、外面フィルムの開口縁部あるいはさらに分割フィルムの開口縁部に設けた吸着開口を通してその先にある分割フィルムを吸着できるようにした包装袋において、前記吸着開口が外面フィルム又は分割フィルムに形成された切込み又はスリット（細隙）であることを特徴とする。
【００１６】
本発明に係る包装袋のうち、収納部が２つの場合の代表的な形態は、一対の外面フィルムの間に介在してそれら両フィルムにより形成される袋口を区分けするとともに、袋内を２つの収納部に分割する分割フィルムを備える包装袋であって、一対の外面フィルムの各々の開口縁部に吸着用切込み又はスリットが形成されているというものである。
また、収納部が３以上の場合の代表的な形態は、一対の外面フィルムの間に介在してそれら両フィルムにより形成される袋口を区分けするとともに、袋内を３以上の収納部に分割する複数の分割フィルムを備える包装袋であって、一対の外面フィルムの各々の開口縁部に２以上の吸着用切込み又はスリットが形成され、各々の分割フィルムの開口縁部にも外面フィルムに形成された吸着用切込み又はスリットの少なくとも１つと重なる位置に吸着用切込み又はスリットが形成されているというものである。
【００１７】
【発明の実施の形態】
以下、図１〜図４を参照して、本発明に係る包装袋をより具体的に説明する。
図１は、一対の外面フィルム４２、４３と、その間に介在してそれら両フィルム４２、４３により形成される袋口を区分けするとともに、袋内を２つの収納部に分割する分割フィルム４４を備える包装袋４１であり、外面フィルム４２、４３と分割フィルム４４の縁部が開口縁部を残して溶着シールされ、一対の外面フィルム４２、４３の各々の開口縁部に吸着用切込み４５、４６が形成されている
。
【００１８】
この包装袋４１は、吸着穴が形成されていた従来の包装袋１、２１と全く同様に（図５〜図７参照）、吸着盤を用いて袋口を開口し、充填物を投入し、開口縁部を熱シールすることができる。つまり、吸着用切込み４５、４６は通常はほぼ閉じた状態にあるが、吸着盤で吸引することにより開口するので、吸引時には従来の吸着穴と同様に作用する。
そして、この包装袋４１の開口縁部を熱シールする際、図２に示すように、吸着用切込み４５、４６をシールバー４７、４８により完全に被うような形で熱シールすると、この吸着用切込み４５、４６は閉じた状態で分割フィルムに熱シールされ、結局、外面フィルムと分割フィルムの開口縁部全体が、吸着用切込み４５、４６がなかったと同様の状態で熱シールされることになる。
【００１９】
この包装袋４１では吸着用切込み４５、４６の部分が閉じた状態で分割フィルム４４に熱シール（融着）されるため、熱シール後に切込み４５、４６の箇所からシール部分が剥離してくるようなことはなく、シール後の吸着用切込み４５、４６が目立たないため製品の見映えもよい。そのため、従来のように上部を切除する（図１０参照）必要もなく、フィルムの無駄が生じない。また、熱シール時には吸着用切込み４５、４６が閉じているため、この切込み４５、４６を通して溶融物がシールバー４７、４８の前面に付着することも防止される。
【００２０】
なお、上記の切込みの場合はそれ自体が平面的な大きさをもっていない切断線に過ぎないが、これを多少平面的な大きさをもつスリット（細隙）に代えても、スリット幅が小さい場合はほぼ同等の作用効果を得ることができる。すなわち、スリットもその平面的な大きさ自体は吸着には不十分であるが、吸着盤で吸引することにより切込みと同様に開口し、その開口を通して分割フィルムを吸着できるようになる。通常の包装袋の場合、スリット幅が例えば０．５ｍｍ以下であればシーラントのシールバー前面への付着、シール部分の剥離、製品の見映え等の問題も少ない。なお、スリット幅は全長にわたり同一でなくてもよい。
また、吸着用切込みやスリットは、従来同様、外面フィルムの開口縁部の適宜位置に形成できる。吸着盤による袋口の開口方法の形態（例えば前記公報に記載された開口方法）に応じて、例えば水平方向又は上下方向に互いにずれた位置、あるいはずれていない位置に形成すればよい。その数は１個（図１のように一まとまりになった切込みは１個とみなす）でも複数個でもよい。そして、その形状は、図１に示したもののほか、「−」、「｜」、「＋」、「×」、「＊」、あるいは湾曲したもの等、吸着盤で吸引したとき開口し、その開口を通して分割フィルムを吸着できるのであれば適宜でよい。
【００２１】
図３は３つの収納部を備えた包装袋の例である。この包装袋５１は、一対の外面フィルム５２、５３と、その間に介在してそれら両フィルム５２、５３により形成される袋口を区分けするとともに、袋内を３つの収納部に分割する２つの分割フィルム５４、５５を備え、一対の外面フィルムの各々の開口縁部に２つずつの吸着用切込み５６〜５９が形成され、各々の分割フィルム５４、５５の開口縁部にも、外面フィルム５２、５３に形成された吸着用切込みの少なくとも１つと重なる位置に、それぞれ吸着用切込み６０、６１が形成されている。
【００２２】
この包装袋５１の場合、第１収納部６２に対応する袋口を開口するには、一対の吸着盤をＡ1及びＡ2位置に配置し、Ａ1位置で外面フィルム５２を吸着し、Ａ2位置で外面フィルム５３の吸着用切込み５９と分割フィルム５５の吸着用切込み６１を介して分割フィルム５４を吸着する。第２収納部６３に対応する袋口を開口するには、一対の吸着盤をＢ1及びＢ2位置に配置し、Ｂ1位置で外面フィルム５２の吸着用切込み５７を介して分割フィルム５４を吸着し、Ｂ2位置で外面フィルム５３の吸着用切込み５８を介して分割フィルム５５を吸着する。また、第３収納部６４に対応する袋口を開口するには、一対の吸着盤をＣ1及びＣ2位置に配置し、Ｃ1位置で外面フィルム５２の吸着用切込み５６と分割フィルム５４の吸着用切込み６０を介して分割フィルム５５を吸着し、Ｃ2位置で外面フィルム５３を吸着する。
【００２３】
この包装袋５１の開口縁部を熱シールする際は、前記の例と同じく、吸着用切込み５６〜５９をシールバーにより完全に被うような形で熱シールするとよい。これにより、前記の例と同様の作用効果を得ることができる。
むろん、３つの収納部を備える包装袋は上記の例に限られず、例えば吸着用切込みを形成する位置については、吸着盤による袋口の開口方法の形態に応じて他の位置に形成することもできるし、切込みの数、形状等も適宜決めることができる。
【００２４】
図４は２つの収納部を備えた包装袋の他の例である。この包装袋７１は、図１に示す包装袋４１と比較すると、一方の外面フィルム７３の高さが、他方の外面フィルム７２や分割フィルム７４より低く形成されている点、及び外面フィルム７２の側の開口縁部にのみ吸着用切込み７５が形成されている点で異なっている。
この包装袋７１の場合、第１収納部７６に対応する袋口を開口するには、一対の吸着盤をＡ1及びＡ2位置に配置し、それぞれの位置で外面フィルム７２及び分割フィルム７４を吸着する。第２収納部７７に対応する袋口を開口するには、一対の吸着盤をＢ1及びＢ2位置に配置し、Ｂ1位置で外面フィルム７２の吸着用切込みを介して分割フィルム７４を吸着し、Ｂ2位置で外面フィルム７３を吸着する。
【００２５】
この包装袋７１の開口縁部を熱シールする際は、吸着用切込み７５をシールバーにより完全に被うような形で熱シールするとよい。熱シール部より上の部分は切除すればよい。この包装袋７１では若干フィルムのロスがでるが、従来例より少なくて済む。その他の作用効果は前記の例と同様である。
【００２６】
以上説明した包装袋の例は、すべて外面フィルム及び分割フィルムの縁部が開口縁部を残して溶着シールされているものであったが、本発明は他の形態の包装袋、例えば前記特開平７−２９１２３０号公報に記載されたような、分割フィルムの両側縁部が外面フィルムの両側縁部とともに溶着シールされ、分割フィルムの底縁部がいずれか一方の外面フィルムの側面に溶着シールされているもの（同公報の図６）、分割フィルムの両側縁部及び底縁部がいずれか一方の外面フィルムの側面に溶着シールされているもの（同公報の図７）、袋状の分割フィルムのいずれか一方の外面フィルムに面する側の開口縁部がその外面フィルムの開口縁部に溶着されているもの（同公報の図８）等にも適用できることはいうまでもない。
【００２７】
【発明の効果】
本発明によれば、複数の収納部を備え、袋口の開口に際して外面フィルムを通して分割フィルムを吸着できるようにした包装袋において、シール部分の剥離やシールバーの前面へのシーラント等の堆積が起こらず、フィルムの無駄がなく、さらに製品の見映えの損なわれない包装袋を得ることができる。
【図面の簡単な説明】
【図１】  本発明に係る包装袋を示す図である。
【図２】  その開口縁部のシール方法を説明する図である。
【図３】  本発明に係る他の包装袋とその開口方法を説明する図である。
【図４】  本発明に係るさらに他の包装袋（ａ）とその開口方法（ｂ）を説明する図である。
【図５】  従来の包装袋とその開口方法を説明する図である。
【図６】  その包装袋の開口方法と充填物投入のプロセスの一部を説明する図である。
【図７】  そのプロセスの続きを説明する図である。
【図８】  従来の他の包装袋とその開口方法を説明する図である。
【図９】  従来の包装袋のシール方法を説明する図である。
【図１０】  同じく従来の包装袋のシール方法を説明する図である。
【符号の説明】
４１、５１、７１  包装袋
４２、４３、５２、５３、７２、７３  外面フィルム
４４、５４、５５、７４  分割フィルム
４５、４６、５６〜６１、７５  吸着用切込み
【図１】
0003739925.tif 000002
【図２】
0003739925.tif 000003
【図３】
0003739925.tif 000004
【図４】
0003739925.tif 000005
【図５】
0003739925.tif 000006
【図６】
0003739925.tif 000007
【図７】
0003739925.tif 000008
【図８】
0003739925.tif 000009
【図９】
0003739925.tif 000010
【図１０】
0003739925.tif 000011